【手続補正書】
【提出日】平成20年8月28日(2008.8.28)
【手続補正１】
【補正対象書類名】明細書
【補正対象項目名】特許請求の範囲
【補正方法】変更
【補正の内容】
【特許請求の範囲】
【請求項１】
データを記憶する記憶手段と、
記憶媒体又は外部機器を検出する検出手段と、
前記記憶手段が記憶している前記データのうち、所定の条件に対応するデータを抽出する抽出手段と、
前記検出手段が記憶媒体又は外部機器を検出したときに、前記抽出手段により抽出されるデータを、前記記憶媒体又は外部機器に記録する記録手段と
を備える情報処理装置。
【請求項２】
前記所定の条件は、最近聞いた曲、チェックアウト回数の少ない曲、プレイリストの曲、曲のランダム選択、プレイリストランダム選択、ジャンルのうち、少なくとも１である
請求項１に記載の情報処理装置。
【請求項３】
前記記憶手段は、複数の前記所定の条件を記憶し、
前記抽出手段は、前記複数の所定の条件のうち操作入力に基づいて選択された任意の所定の条件に対応するデータを、前記記憶手段により記憶されたデータから抽出する
請求項１に記載の情報処理装置。
【請求項４】
前記操作入力に基づいて選択される任意の所定の条件は複数である
請求項３に記載の情報処理装置。
【請求項５】
前記記憶手段は、記憶媒体又は外部機器を識別するための識別情報毎に、前記所定の条件を対応付けて記憶し、
前記抽出手段は、前記複数の前記検出手段が検出した前記記憶媒体又は前記外部機器の識別情報と一致する識別情報に対応付けられた前記所定の条件に対応するデータを、前記記憶手段に記憶されたデータから抽出する
請求項３に記載の情報処理装置。
【請求項６】
前記記録手段は、前記記憶媒体又は前記外部機器の記憶可能容量が、前記抽出手段が抽出したデータのデータ量よりも小さいときに、前記記憶媒体又は前記外部機器へのデータの記録を停止する
ことを特徴とする請求項１に記載の情報処理装置。
【請求項７】
外部サーバと通信するための通信手段を更に備え、
前記記憶手段は、前記通信手段が外部サーバより定期的に取得するデータを、前記データとして記憶する
請求項１に記載の情報処理装置。
【請求項８】
データを記憶する記憶ステップと、
記憶媒体又は外部機器を検出する検出ステップと、
前記記憶ステップの処理によりが記憶している前記データのうち、所定の条件に対応するデータを抽出する抽出ステップと、
前記検出ステップの処理で記憶媒体又は外部機器を検出したときに、前記抽出ステップの処理により抽出されるデータを、前記記憶媒体又は外部機器に記録する記録ステップと
を含む情報処理方法。
【請求項９】
データを記憶する記憶ステップと、
記憶媒体又は外部機器を検出する検出ステップと、
前記記憶ステップの処理によりが記憶している前記データのうち、所定の条件に対応するデータを抽出する抽出ステップと、
前記検出ステップの処理で記憶媒体又は外部機器を検出したときに、前記抽出ステップの処理により抽出されるデータを、前記記憶媒体又は外部機器に記録する記録ステップと
を含む処理をコンピュータに実行させるプログラム。
【手続補正２】
【補正対象書類名】明細書
【補正対象項目名】０００９
【補正方法】変更
【補正の内容】
【０００９】
【課題を解決するための手段】
本発明の情報処理装置は、データを記憶する記憶手段と、記憶媒体又は外部機器を検出する検出手段と、記憶手段が記憶しているデータのうち、所定の条件に対応するデータを抽出する抽出手段と、検出手段が記憶媒体又は外部機器を検出したときに、抽出手段により抽出されるデータを、記憶媒体又は外部機器に記録する記録手段とを備える。
【手続補正３】
【補正対象書類名】明細書
【補正対象項目名】００１０
【補正方法】変更
【補正の内容】
【００１０】
所定の条件は、最近聞いた曲、チェックアウト回数の少ない曲、プレイリストの曲、曲のランダム選択、プレイリストランダム選択、ジャンルのうち、少なくとも１であるようにすることができる。
【手続補正４】
【補正対象書類名】明細書
【補正対象項目名】００１１
【補正方法】変更
【補正の内容】
【００１１】
記憶手段には、複数の所定の条件を記憶させ、抽出手段には、複数の所定の条件のうち操作入力に基づいて選択された任意の所定の条件に対応するデータを、記憶手段により記憶されたデータから抽出させるようにすることができる。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
操作入力に基づいて選択される任意の所定の条件は複数であるようにすることができる。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】変更
【補正の内容】
【００１６】
記憶手段には、記憶媒体又は外部機器を識別するための識別情報毎に、所定の条件を対応付けて記憶させ、抽出手段には、複数の検出手段が検出した記憶媒体又は外部機器の識別情報と一致する識別情報に対応付けられた所定の条件に対応するデータを、記憶手段に記憶されたデータから抽出させるようにすることができる。
【手続補正１０】
【補正対象書類名】明細書
【補正対象項目名】００１７
【補正方法】変更
【補正の内容】
【００１７】
記録手段には、記憶媒体又は外部機器の記憶可能容量が、抽出手段が抽出したデータのデータ量よりも小さいときに、記憶媒体又は外部機器へのデータの記録を停止させるようにすることができる。
【手続補正１１】
【補正対象書類名】明細書
【補正対象項目名】００１８
【補正方法】変更
【補正の内容】
【００１８】
外部サーバと通信するための通信手段を更に設けるようにさせることができ、記憶手段は、通信手段が外部サーバより定期的に取得するデータを、データとして記憶させるようにすることができる。
【手続補正１２】
【補正対象書類名】明細書
【補正対象項目名】００１９
【補正方法】変更
【補正の内容】
【００１９】
本発明の情報処理方法は、データを記憶する記憶ステップと、記憶媒体又は外部機器を検出する検出ステップと、前記記憶ステップの処理によりが記憶している前記データのうち、所定の条件に対応するデータを抽出する抽出ステップと、前記検出ステップの処理で記憶媒体又は外部機器を検出したときに、前記抽出ステップの処理により抽出されるデータを、前記記憶媒体又は外部機器に記録する記録ステップとを含むことを特徴とする。
【手続補正１３】
【補正対象書類名】明細書
【補正対象項目名】００２０
【補正方法】変更
【補正の内容】
【００２０】
本発明のプログラムは、データを記憶する記憶ステップと、記憶媒体又は外部機器を検出する検出ステップと、前記記憶ステップの処理によりが記憶している前記データのうち、所定の条件に対応するデータを抽出する抽出ステップと、前記検出ステップの処理で記憶媒体又は外部機器を検出したときに、前記抽出ステップの処理により抽出されるデータを、前記記憶媒体又は外部機器に記録する記録ステップとをコンピュータに実行させることを特徴とする。
【手続補正１４】
【補正対象書類名】明細書
【補正対象項目名】００２１
【補正方法】変更
【補正の内容】
【００２１】
本発明の情報処理装置および方法、並びにプログラムにおいては、データが記憶され、記憶媒体又は外部機器が検出され、記憶しているデータのうち、所定の条件に対応するデータが抽出され、記憶媒体又は外部機器が検出されたときに、抽出されるデータが、記憶媒体又は外部機器に記録される。
【手続補正１５】
【補正対象書類名】明細書
【補正対象項目名】０２２７
【補正方法】変更
【補正の内容】
【０２２７】
【発明の効果】
本発明の情報処理装置および方法、並びにプログラムによれば、記録されたコンテンツの記録媒体への書換え処理を、より容易に実行させるようにすることが可能となる。